(57)【要約】【課題】本発明は建築、構築物に用いる乾式壁材の長手方向の端部を付き合わせてできる出隅部構造に関するものである。さらに詳しくは、出隅を形成する化粧キャップを敷目板に嵌合する際に、嵌合が確実かつ強固になる出隅部構造に関するものである。【解決手段】乾式壁材Ｄの化粧面部１４の出隅部をカバーする出隅部構造において、出隅部は長尺状の敷目板Ｂと短尺状の化粧キャップＣとからなり、出隅部の壁下地αに敷目板Ｂを連続状で固定し、敷目板Ｂの嵌合部４に化粧キャップＣの係合部９を嵌合すると共に、固定具βを化粧キャップＣの固定孔１７を介して壁下地αに打設することにより、出隅部の下段から上段に複数個の化粧キャップＣを形成した出隅部構造である。【選択図】図３
2018131863.tif 000002
【特許請求の範囲】
【請求項１】
乾式壁材の化粧面部の出隅部をカバーする出隅部構造において、出隅部は長尺状の敷目板と短尺状の化粧キャップとからなり、敷目板は水平部と嵌合部とから形成し、水平部は水平面状の固定片を略９０度に形成し、嵌合部は水平部のほぼ中央部分を上方に屈曲して形成した２本のガイド片と、両ガイド片の先端を内側方に屈曲し先端を内方に屈曲して断面略Ｕ字状の嵌合溝を形成し、嵌合溝内に突出した嵌合爪とから形成した長尺状部材からなり、化粧キャップは水平面状の化粧面部と、化粧面部を略９０度に形成し、裏面中央に長手方向に突出した係合部から形成し、係合部は化粧面部の裏面中央に突出可能な位置を４５度で屈曲した立ち上がり部と、立ち上がり部の先端近傍に外側方に突出して形成した係合片から形成すると共に、化粧面部の上端には屋内側に屈曲した段差と、段差の先端を上方に突出した防水片と、防水片の中央部分を上方に突出した固定片と、固定片の中央部分を屋内方向に突出した突出片と、突出片により形成された溝と、溝の略中央部分に形成した固定孔とから形成し、出隅部の壁下地に敷目板を連続状で固定し、敷目板の嵌合部に化粧キャップの係合部を嵌合すると共に、固定具を化粧キャップの固定孔を介して壁下地に打設することにより、出隅部の下段から上段に複数個の化粧キャップを形成したことを特徴とする出隅部構造。
【発明の詳細な説明】
【技術分野】
【０００１】
本発明は建築、構築物に用いる乾式壁材の長手方向の端部を付き合わせてできる出隅部構造に関するものである。さらに詳しくは、出隅を形成する化粧キャップを敷目板に嵌合する際に、嵌合が確実かつ強固になる出隅部構造に関するものである。
【背景技術】
【０００２】
一般に金属板を表面材とし、合成樹脂発泡体を芯材とし、シート状物を裏面材としたサンドイッチ構造の乾式壁材、あるいは無機系の材料からなる乾式壁材を用いて横張り状に壁体を形成した場合には、乾式壁材の長手方向の突き合わせにより出隅部が形成され、出隅部はＬ型の出隅材・入隅材を脳天打ちしたり、敷目板と化粧キャップの２部材の嵌合により出隅部を形成する方法がある。（特許文献１〜２参照）
【先行技術文献】
【特許文献】
【０００３】
【特許文献１】特開２０００−００１９６４号公報
【特許文献２】特開２０１５−１７５２０７号公報
【発明の概要】
【発明が解決しようとする課題】
【０００４】
特許文献１〜２は、敷目板と化粧キャップの２部材の嵌合により出隅部を形成する方法である。引用文献１は成形に余裕がなく化粧面となる第１壁部と第２壁部が施工時に変形することにより施工されるものである。また、引用文献２は壁下地に取り付けられたジョイナに目地キャップを嵌合する外壁材の接続部材に関するものであるが、これも化粧面が施工時に変形することにより施工されるものである。このために、各化粧面となる角度を９０度に保つことが困難であった。
【課題を解決するための手段】
【０００５】
本発明はこのような課題を解決するために、乾式壁材の化粧面部の出隅部をカバーする出隅部構造において、出隅部は長尺状の敷目板と短尺状の化粧キャップとからなり、敷目板は水平部と嵌合部とから形成し、水平部は水平面状の固定片を略９０度に形成し、嵌合部は水平部のほぼ中央部分を上方に屈曲して形成した２本のガイド片と、両ガイド片の先端を内側方に屈曲し先端を内方に屈曲して断面略Ｕ字状の嵌合溝を形成し、嵌合溝内に突出した嵌合爪とから形成した長尺状部材からなり、化粧キャップは水平面状の化粧面部と、化粧面部を略９０度に形成し、裏面中央に長手方向に突出した係合部から形成し、係合部は化粧面部の裏面中央に突出可能な位置を４５度で屈曲した立ち上がり部と、立ち上がり部の先端近傍に外側方に突出して形成した係合片から形成すると共に、化粧面部の上端には屋内側に屈曲した段差と、段差の先端を上方に突出した防水片と、防水片の中央部分を上方に突出した固定片と、固定片の中央部分を屋内方向に突出した突出片と、突出片により形成された溝と、溝の略中央部分に形成した固定孔とから形成し、出隅部の壁下地に敷目板を連続状で固定し、敷目板の嵌合部に化粧キャップの係合部を嵌合すると共に、固定具を化粧キャップの固定孔を介して壁下地に打設することにより、出隅部の下段から上段に複数個の化粧キャップを形成した出隅部構造である。
【発明の効果】
【０００６】
以上説明したように、本発明に係る出隅部構造によれば、（１）化粧キャップの上部が壁下地に固定されるために、化粧キャップの固定が確実でガタ付くことがない。（２）固定片に形成した溝部分に固定孔を形成するために、固定位置がバラ付かず連結部分に隙間が生じない。（３）固定片に形成した屋内側に突出した突出片と溝により、固定孔を介して固定するための固定具（釘）を屋内側に水平に、かつ左右にぶれることなく壁下地に打設することが出来る。などの特徴、効果がある。
【図面の簡単な説明】
【０００７】
【図１】本発明に係る出隅部構造の施工状態を示す断面図である。
【図２】本発明に係る出隅部構造に使用する敷目板と化粧キャップの一実施例を示す断面図である。
【図３】本発明に係る出隅部構造に使用する化粧キャップの一実施例を示す説明図である。
【図４】本発明に係る出隅部構造に使用する化粧キャップの一実施例を示す説明図である。
【図５】本発明に係る出隅部構造に使用する化粧キャップの一実施例を示す説明図である。
【図６】本発明に係る出隅部構造に使用する化粧キャップの一実施例を示す説明図である。
【図７】本発明に係る出隅部構造に使用する化粧キャップの一実施例を示す説明図である。
【図８】本発明に係る出隅部構造に使用する化粧キャップの一実施例を示す説明図である。
【図９】本発明に係る出隅部構造に使用する化粧キャップの一実施例を示す説明図である。
【図１０】本発明に係る出隅部構造に使用する化粧キャップの一実施例を示す説明図である。
【図１１】本発明に係る出隅部構造に使用する化粧キャップの一実施例を示す説明図である。
【図１２】本発明に係る出隅部構造に使用する化粧キャップの一実施例を示す説明図である。
【図１３】本発明に係る出隅部構造に使用する化粧キャップの一実施例を示す説明図である。
【図１４】本発明に係る出隅部構造に使用する化粧キャップの一実施例を示す説明図である。
【図１５】本発明に係る出隅部構造に使用する化粧キャップの一実施例を示す説明図である。
【図１６】本発明に係る出隅部構造に使用する乾式壁材の一実施例を示す断面図である。
【発明を実施するための形態】
【実施例】
【０００８】
以下に図面を用いて本発明に係る出隅部構造の代表的な実施例について詳細に説明する。図１は本発明に係る出隅部構造を示す断面図、図２は本発明に係る出隅部構造に使用する敷目板Ｂ、化粧キャップを示す断面図であり、Ａは出隅用ジョイナ、Ｂは敷目板、Ｃは化粧キャップ、Ｄは乾式壁材、αは壁下地、βは固定具である。
【０００９】
図３は化粧キャップＣを示す正面図、図４は化粧キャップＣを示す背面図、図５は化粧キャップＣを示す平面図、図６は化粧キャップＣを示す底面図、図７は化粧キャップＣを示す右側面図、図８は化粧キャップＣを示す左側面図、図９は化粧キャップＣを示す上部拡大図、図１０は化粧キャップＣを示す下部拡大図、図１１は化粧キャップＣを示す中間部拡大図、図１２は化粧キャップＣを示す上部背面拡大図、図１３は化粧キャップＣを示す下部背面拡大図、図１４（ａ）と図１５（ａ）は図９のａ−ａ線断面図、図１４（ｂ）と図１５（ｂ）は図９のｂ−ｂ線断面図、図１６は乾式壁材Ｄを示す断面図である。
【００１０】
出隅用ジョイナＡは金属製薄板材、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、合成樹脂製板材、例えば塩化ビニル樹脂、ポリカーボネイト樹脂等（勿論、これらを各種色調に塗装したカラー板を含む）の一種をロール成形、プレス成形、等によって各種形状に成形ものである。
【００１１】
敷目板Ｂは長尺状板材であり、図２（ａ）に示すように水平部１と嵌合部４とから形成したものである。さらに詳説すると、水平部１は水平面状の固定片２と、固定片２の先端をはぜ状に屈曲した舌片３とから形成したものである。また、嵌合部４は水平部１のほぼ中央部分を上方に屈曲して形成した２本のガイド片５と、両ガイド片５の先端を内側方に屈曲し先端を内方に屈曲して断面略Ｕ字状の嵌合溝６を形成し、嵌合溝６内に突出した嵌合爪７とから形成したものである。この嵌合部４は後記する化粧キャップＣの係合部９を係合する部分である。
【００１２】
化粧キャップＣは乾式壁材Ｄの化粧面および断面形状によって定めるものであり、図１６に示すような乾式壁材Ｄを使用して壁体を形成する場合には、図３〜図１５（ａ）、（ｂ）に示すような化粧キャップＣとなる。
【００１３】
さらに詳説すると、化粧キャップＣは乾式壁材Ｄの化粧面Ｄ１と化粧目地Ｄ２と同形状に形成した狭い幅の化粧面８ａと化粧目地８ｂよりなる化粧面部８と、化粧面部８の裏面中央に長手方向に突出した係合部９から形成したものであり、化粧面部８は図２に示すように、乾式壁材Ｄの端部を被覆し意匠性、防水性を向上する部分である。
【００１４】
係合部９は化粧面部８の裏面中央に突出可能な位置を９０°で屈曲した立ち上がり部１０と、立ち上がり部１０の先端近傍に外側方に突出して形成した係合片１１からなり、係合片１１は敷目板Ｂの嵌合爪７に係合され、化粧キャップＣを壁下地αに固定するためのものである。
【００１５】
化粧面部８の上部Ｊは、図１４（ａ）、（ｂ）〜図１５（ａ）、（ｂ）に示すように、化粧面部８の上端を屋内側に屈曲した段差１２と、段差１２の先端を上方に突出した防水片１３と、防水片１３の中央部分を上方に突出した固定片１４と、固定片１４の中央部分を屋内方向に突出した突出片１５と、突出片１５により形成された溝１６と、溝１６の略中央部分に形成した固定孔１７と、突出片１５形成用の切り欠き１８と、切り欠きＪ１とから形成したものである。
【００１６】
化粧面部８の下部Ｋは、化粧面部８の下端を屋内側に折り返した舌片１９と、切り欠きＫ１とから形成したものである。
【００１７】
段差１２は、化粧キャップＣを上下方向に連結した際に、段差１２により下部Ｋの舌片１９の段差を吸収し、上下の化粧キャップＣの化粧面部８間が平らな状態になるように形成したものである。
【００１８】
上部Ｊの防水片１３は、下部Ｋの舌片１９と重なり合う部分である。
【００１９】
上部Ｊの固定片１４は、壁下地αに化粧キャップＣを固定するための部分であり、切り欠き１８を形成することにより、固定片１４の中央部分を屋内側に突出した突出片１５と溝１６を形成し、さらに、溝１６部分に固定孔１７を形成することにより、固定孔１７に固定具βを打設することにより、固定片１４を壁下地αに固定し、化粧キャップＣの上部Ｊを固定するものである。
【００２０】
乾式壁材Ｄは図１６に示すように、化粧面Ｄ１と化粧目地Ｄ２を形成した雄雌嵌合構造の乾式壁材Ｄであり、金属系サイディング材、窯業系サイディング材、セラミック、等より成形したものである。
【符号の説明】
【００２１】
Ａ  出隅用ジョイナ
Ｂ  敷目板
Ｃ  化粧キャップ
Ｄ  乾式壁材
Ｄ１  化粧面
Ｄ２  化粧目地
Ｊ  上部
Ｊ１  切り欠き
Ｋ  下部
Ｋ１  切り欠き
α  壁下地
β  固定具
１  水平部
２  固定片
３  舌片
４  嵌合部
５  ガイド片
６  嵌合溝
７  嵌合爪
８  化粧面部
８ａ  化粧面
８ｂ  化粧目地
９  係合部
１０  立ち上がり部
１１  係合片
１２  段差
１３  防水片
１４  固定片
１５  突出片
１６  溝
１７  固定孔
１８  切り欠き
１９  舌片
【図１】
2018131863.tif 000003
【図２】
2018131863.tif 000004
【図３】
2018131863.tif 000005
【図４】
2018131863.tif 000006
【図５】
2018131863.tif 000007
【図６】
2018131863.tif 000008
【図７】
2018131863.tif 000009
【図８】
2018131863.tif 000010
【図９】
2018131863.tif 000011
【図１０】
2018131863.tif 000012
【図１１】
2018131863.tif 000013
【図１２】
2018131863.tif 000014
【図１３】
2018131863.tif 000015
【図１４】
2018131863.tif 000016
【図１５】
2018131863.tif 000017
【図１６】
2018131863.tif 000018